(57)【要約】【課題】  立体ギャザーシートに体圧などの圧力が加わった場合であっても、排尿などの液状排泄物の横漏れが発生することを防ぐことのできる使い捨ておむつを提供する。【解決手段】  通気性および不透液性を有するバックシートと、通気性および透液性を有するトップシートと、通気性および透液性を有する第１シート材および不透液性を有する第２シート材が接合された多層シート材からなり、互いに対向して設けられる一対の立体ギャザーシートと、バックシートと前記トップシートとの間に介在される、吸液性を有する吸収体とを含み、各立体ギャザーシートの不透液性を有する第２シート材は、サイドフラップ部で、バックシートと接合される。【選択図】      図１
2013220193.tif 000002
【特許請求の範囲】
【請求項１】
通気性および不透液性を有するバックシートと、
通気性および透液性を有するトップシートと、
通気性および透液性を有する第１シート材および不透液性を有する第２シート材が接合された多層シート材からなり、互いに対向して設けられる一対の立体ギャザーシートと、
前記バックシートと前記トップシートとの間に介在される、吸液性を有する吸収体とを含み、
前記バックシートは、バックシート細幅部と、前記バックシート細幅部よりも幅方向の両側に延出する一対のバックシート延出部とを有し、
前記一対の立体ギャザーシートは、立体ギャザーシート細幅部と、前記立体ギャザーシート細幅部よりも幅方向の片側に延出する立体ギャザーシート延出部とをそれぞれ有し、
前記吸収体は、吸収体細幅部と、前記吸収体細幅部よりも幅方向の両側に延出する一対の吸収体延出部とを有し、
前記各バックシート延出部、各立体ギャザーシート延出部および各吸収体延出部は、前記トップシートよりも幅方向に延出し、
前記各バックシート延出部と、前記各立体ギャザーシートの延出部との間に、前記各吸収体延出部が介在され、該各バックシート延出部と各立体ギャザーシート延出部と各吸収体延出部とによって、長手方向一端部寄りの領域に一対のサイドフラップ部が形成され、
前記各立体ギャザーシートの不透液性を有する第２シート材は、前記サイドフラップ部で、前記バックシートと接合されることを特徴とする使い捨ておむつ。
【請求項２】
前記バックシート細幅部は、前記トップシートとほぼ等しい幅および長さを有し、
前記吸収体は、親水性のフラッフ状繊維を主材とするマット状に形成され、
前記各立体ギャザーシート細幅部の幅方向に互いに近接する側の各側部には、長手方向両端部が各立体ギャザーシート細幅部の長手方向両端部にそれぞれ固定される弾性糸が設けられることを特徴とする請求項１に記載の使い捨ておむつ。
【請求項３】
前記各立体ギャザーシートの前記第１シート材は、不織布であることを特徴とする請求項２に記載の使い捨ておむつ。
【発明の詳細な説明】
【技術分野】
【０００１】
本発明は、使い捨ておむつに関する。
【背景技術】
【０００２】
近年、使い捨ておむつは、乳幼児に対して使用されるだけでなく、成人、特に高齢者などに対して使用されることも多くなっている。成人の使用者には寝たきり状態の人も含まれており、このような寝たきり状態の人は床ずれを防止するために、定期的に姿勢の変更が必要となる。姿勢が変更される際には、横臥姿勢にされる場合があるが、このような横臥姿勢は、最も使い捨ておむつから外部への尿漏れが起こり易い姿勢である。
【０００３】
また、寝たきり状態の人に限らず、睡眠中には多くの人が、寝返りを行って姿勢を変えるが、その際に横臥姿勢となることがある。通常、睡眠中には複数回の排尿が行われるので、睡眠中に仰臥から横臥に姿勢を変えると、おむつからの尿漏れが非常に起こり易い。
【０００４】
このような、尿漏れを防止するための従来技術として、たとえば特許文献１には、液透過性の表面シートと、液不透過性の裏面シートと、表面シートと裏面シートの間に介在する吸収体とを有し、表面シートの使用時に着用者の腹側に位置する表面の左右両側に立体ギャザー形成用の不織布が配された使い捨ておむつが開示されている。
【０００５】
特許文献１に開示の使い捨ておむつでは、着用者が横臥の姿勢で排尿などが行われた場合であっても、排尿などの液状排泄物を立体ギャザーによって、吸収体の設けられている領域に導くことができるので、横臥の姿勢で排尿などを行っても尿漏れを防ぐことができる。
【０００６】
ここで、排尿などが複数回行われた場合のように、吸収体の吸収量が限界に近い状態では、その吸収体に体圧などの圧力がかかることによって、吸収体に吸収されている排尿などが吸収体から漏れ出すことがある。このような場合に、前記特許文献１に開示の立体ギャザーは、撥水性は有するものの不透液性を有するわけではないので、立体ギャザーにも圧力が加わった場合には、吸収体から漏れ出した排尿などが立体ギャザーを透過して外側に漏れ出すことがある。
【０００７】
したがって、前記特許文献１に開示の使い捨ておむつでは、吸収体から漏れ出した排尿などが、使い捨ておむつの幅方向両側から漏れ出す、いわゆる横漏れによって肌や布団などが汚損されることがある。
【先行技術文献】
【特許文献】
【０００８】
【特許文献１】特開平９−１５４８８５号公報
【発明の概要】
【発明が解決しようとする課題】
【０００９】
本発明の目的は、立体ギャザーシートに体圧などの圧力が加わった場合であっても、排尿などの液状排泄物の横漏れが発生することを防ぐことのできる使い捨ておむつを提供することである。
【課題を解決するための手段】
【００１０】
本発明は、通気性および不透液性を有するバックシートと、
通気性および透液性を有するトップシートと、
通気性および透液性を有する第１シート材および不透液性を有する第２シート材が接合された多層シート材からなり、互いに対向して設けられる一対の立体ギャザーシートと、
前記バックシートと前記トップシートとの間に介在される、吸液性を有する吸収体とを含み、
前記バックシートは、バックシート細幅部と、前記バックシート細幅部よりも幅方向の両側に延出する一対のバックシート延出部とを有し、
前記一対の立体ギャザーシートは、立体ギャザーシート細幅部と、前記立体ギャザーシート細幅部よりも幅方向の片側に延出する立体ギャザーシート延出部とをそれぞれ有し、
前記吸収体は、吸収体細幅部と、前記吸収体細幅部よりも幅方向の両側に延出する一対の吸収体延出部とを有し、
前記各バックシート延出部、各立体ギャザーシート延出部および各吸収体延出部は、前記トップシートよりも幅方向に延出し、
前記各バックシート延出部と、前記各立体ギャザーシートの延出部との間に、前記各吸収体延出部が介在され、該各バックシート延出部と各立体ギャザーシート延出部と各吸収体延出部とによって、長手方向一端部寄りの領域に一対のサイドフラップ部が形成され、
前記各立体ギャザーシートの不透液性を有する第２シート材は、前記サイドフラップ部で、前記バックシートと接合されることを特徴とする使い捨ておむつである。
【００１１】
また本発明は、前記バックシート細幅部は、前記トップシートとほぼ等しい幅および長さを有し、
前記吸収体は、親水性のフラッフ状繊維を主材とするマット状に形成され、
前記各立体ギャザーシート細幅部の幅方向に互いに近接する側の各側部には、長手方向両端部が各立体ギャザーシート細幅部の長手方向両端部にそれぞれ固定される弾性糸が設けられることを特徴とする。
【００１２】
また本発明は、前記各立体ギャザーシートの前記第１シート材は、不織布であることを特徴とする。
【発明の効果】
【００１３】
本発明によれば、一対の立体ギャザーシートが通気性および透液性を有する第１シート材と、不透液性を有する第２シート材とが接合された多層シート材から成り、各立体ギャザーシートの不透液性を有する第２シート材が、各サイドフラップ部で、バックシートと接合されるので、吸収体に吸収された排尿などの液状排泄物が、吸収体から漏れ出し、トップシートを透過しても、立体ギャザーシートの第２シート材を透過することはない。
【００１４】
このように、吸収体に吸収された液状排泄物は、トップシートは透過するが、各立体ギャザーシートの第２シート材は透過しないので、第２シート材によって外部へ漏洩することが防がれる。このことから、夜間などの長時間の装着によって多量の液状排泄物を吸収体が吸収した状態で、その吸収体に就寝中の使用者の寝返りによって臀部などで押圧されて圧力が加わり、吸収体に吸収された液状排泄物が吸収体から押し出され、使い捨ておむつの外部に漏れ出す、いわゆる横漏れが防がれ、この横漏れに起因して、使用者の肌や布団などが汚損されることを防ぐことができる。
【００１５】
また、各立体ギャザーシート細幅部の幅方向に互いに近接する側の各側部には、長手方向両端部が各立体ギャザーシート細幅部の長手方向両端部にそれぞれ固定される弾性糸が設けられるので、装着時には立体ギャザーシートが起立し、立体ギャザーを形成することができる。
【００１６】
また、装着時に装着者の身体に接触する第１シート材が不織布であるので、装着時に使用者に良好な肌触り感を与えることができる。
【図面の簡単な説明】
【００１７】
【図１】本発明の一実施形態である使い捨ておむつ１を平面状に展開した正面図である。
【図２】図１における切断面線ＩＩ−ＩＩで切断した使い捨ておむつ１の断面を模式的に示す図である。
【図３】図２における部分ＩＩＩ−ＩＩＩを拡大して示す図である。
【発明を実施するための形態】
【００１８】
図１は、本発明の一実施形態である使い捨ておむつ１を平面状に展開した正面図である。図２は、図１における切断面線ＩＩ−ＩＩで切断した使い捨ておむつ１の断面を模式的に示す図である。図３は、図２における部分ＩＩＩ−ＩＩＩを拡大して示す図である。
【００１９】
使い捨ておむつ１は、通気性および不透液性を有するバックシート２と、通気性および透液性を有するトップシート３と、吸液性を有し、バックシート２とトップシート３の間に介在される吸収体４と、互いに対向して設けられる一対の立体ギャザーシート５とが積層されて構成される。
【００２０】
使い捨ておむつ１は、予め定める第１方向Ｘの寸法が前記第１方向Ｘに垂直な第２方向Ｙの寸法よりも長い形状（長手状）であって、第１方向Ｘ一端部寄りの領域から第２方向Ｙに互いに離反する方向に突出する一対のサイドフラップ部１１が形成される。
【００２１】
以下では、第１方向Ｘを長手方向Ｘということがあり、第２方向Ｙを幅方向Ｙということがある。また、バックシート２、トップシート３、吸収体４および立体ギャザーシート５における長手方向および幅方向は、使い捨ておむつ１の長手方向Ｘおよび幅方向Ｙと一致する。
【００２２】
バックシート２は、通気性および不透液性を有するシート材、本実施形態では通気性を有する不織布からなるシート材２２と、不透液性を有するポリエチレンなどの樹脂製のフィルムからなるシート材２３とが、ホットメルト接着剤によって接合された多層シート材である２層シート材からなる。使い捨ておむつ１を構成する際には、樹脂製のフィルムからなるシート材２３が、立体ギャザーシート５および吸収体４に対向する側の面に配置される。
【００２３】
バックシート２のシート材としては、通気性を有する不織布と不透液性を付与する加工が行なわれた不織布とが積層された複層の不織布シートを用いることもできる。
【００２４】
バックシート２は、長手状のバックシート細幅部２０と、バックシート細幅部２０よりも幅方向Ｙの両側に延出する、より詳細にはバックシート細幅部２０の幅方向Ｙの両側部における長手方向Ｘ一端部寄りの領域から幅方向Ｙに互いに離反する方向に突出する一対の第１サイドフラップ部２１とを有するシート体である。第１サイドフラップ部２１は、バックシート延出部に相当する。
【００２５】
トップシート３は、通気性および透液性を有するシート材、たとえば、ポリエチレンやポリエステル、ポリプロピレンなどの合成繊維や再生繊維からなる繊維シートまたは繊維ウェッブの繊維同士を物理的に交絡させて形成される不織布などからなる。トップシート３は、バックシート細幅部２０とほぼ等しい幅および長さを有する長手状のシート体である。
【００２６】
吸収体４は、長手状の吸収体細幅部４０と、吸収体細幅部４０よりも幅方向の両側に延出する、より詳細には吸収体細幅部４０の幅方向Ｙの両側部における長手方向Ｘ一端部寄りの領域から幅方向Ｙに互いに離反する方向に突出する一対の第２サイドフラップ部４１とを有し、マット状である。第２サイドフラップ部４１は、吸収体延出部に相当する。
【００２７】
吸収体４としては、公知のあらゆる吸水性材料を用いることができる。たとえば吸収体４は、親水性を有するフラッフ状繊維を主材とし、そこに吸水性ポリマおよび消臭剤が添加されて構成される。フラッフ状繊維は、たとえばパルプを１ｍｍ以上１０ｍｍ以下の長さに切断した親水性繊維を撹拌して綿状にした綿状パルプを用いることができる。吸水性ポリマは、自重の約１０倍以上３００倍以下の水分を吸収してゲル状に凝固する高分子吸収体であり、吸水性ポリマとしては、たとえば抗菌性を有する吸水性ポリマや荷重下で通液性を有する吸水性ポリマなどを用いることができる。
【００２８】
立体ギャザーシート５は、通気性および透液性を有するシート材５１および不透液性を有するシート材５２とが接合された多層シート材からなる。シート材５１は、第１シート材に相当し、シート材５２は、第２シート材に相当する。
【００２９】
シート材５１としては、スパンボンド法およびメルトブロー法で製造したポリプロピレン製の複数の不織布を積層したものを用いることができ、たとえば、スパンボンド法で製造した不織布、メルトブロー法で製造した不織布、スパンボンド法で製造した不織布の順で積層した不織布を用いることができる。
【００３０】
シート材５２としては、不透液性を有するシート材であれば公知のあらゆる素材を用いることができる。たとえばシート材５２は、ポリエチレン製のシート体である。このような立体ギャザーシート５は、不織布であるシート材５１の一表面に溶融したポリエチレンを塗布することによって形成することができる。
【００３１】
各立体ギャザーシート５は、長手状の立体ギャザーシート細幅部５３と、長手方向Ｘ一端部寄りの領域から立体ギャザーシート細幅部５３よりも幅方向Ｙの片側に延出する、第３サイドフラップ部５４とを有するシート体である。
【００３２】
換言すれば、一対の立体ギャザーシート５は、一対の長手状の立体ギャザーシート細幅部５３と、一対の立体ギャザーシート細幅部５３の幅方向Ｙの両側部における長手方向Ｘ一端部寄りの領域から立体ギャザーシート細幅部５３の幅方向Ｙに互いに離反する方向に延びる一対の第３サイドフラップ部５４とを有するシート体である。第３サイドフラップ部５４は、立体ギャザーシート延出部に相当する。
【００３３】
各立体ギャザーシート細幅部５３の幅方向Ｙに互いに近接する側の各側部には、長手方向Ｘ両端部が各立体ギャザーシート細幅部５３の長手方向Ｘ両端部にそれぞれ固定される弾性糸５６が設けられる。
【００３４】
より詳細には、各立体ギャザーシート細幅部５３は、幅方向Ｙに互いに近接する側で、シート材５１が同士が近接するようにまず折り返され、さらにシート材５２同士が近接するように折り返され、幅方向Ｙに互いに近接する側が３枚重ねの状態で使用される。シート材５２同士が近接するように折り返された部分である、折り返し部５５には、長手方向Ｘに沿って弾性糸５６が内封して配設される。
【００３５】
本実施形態では２本の弾性糸５６が内封して配設される。弾性糸５６は、弾発的に伸縮可能なものであれば、公知のあらゆる素材を用いることができ、本実施形態では細いゴム紐が用いられる。また、弾性糸５６の本数は２本に限られず、１本でもよく３本以上であってもよい。
【００３６】
弾性糸５６はバックシート２およびトップシート３に対して長手方向Ｘに緊張、すなわち伸長された状態で内封して配設されているので、使い捨ておむつ１の装着時には、弾性糸５６の収縮力によって立体ギャザーシート５が立体的に立ち上げられる。このように立体ギャザーシート５が立ち上がることによって、装着時には立体ギャザーが形成される。
【００３７】
使い捨ておむつ１の構成についてさらに説明すると、使い捨ておむつ１は、バックシート２上に吸収体４が、吸収体４上にトップシート３が積層され、バックシート２、吸収体４およびトップシート３上に立体ギャザーシート５が積層されてなる。
【００３８】
また、各第１サイドフラップ部２１、各第２サイドフラップ部４１、および第３サイドフラップ部５４は、トップシート３よりも幅方向Ｙに延出する。
【００３９】
また、バックシート２の幅方向Ｙの寸法は、吸収体４の幅方向Ｙの寸法およびトップシート３の幅方向Ｙの寸法よりも大きく、吸収体４の幅方向Ｙの寸法は、トップシート３の幅方向Ｙの寸法よりも大きいので、バックシート２は、吸収体４よりも幅方向Ｙに延出し、吸収体４は、トップシート３よりも幅方向Ｙに延出する。
【００４０】
各立体ギャザーシート５の、吸収体４とは幅方向反対側の端部は、バックシート２の幅方向端部と重なって接合される。立体ギャザーシート５とバックシート２の接合箇所は、吸収体４よりも幅方向外方であれば、いずれの箇所で接合されてよい。
【００４１】
より詳細に使い捨ておむつ１の構成について説明すると、バックシート細幅部２０上に吸収体細幅部４０が積重され、一対の第１サイドフラップ部２１上に第２サイドフラップ部４１がそれぞれ積重され、吸収体細幅部４０上にトップシート３が積重される。
【００４２】
また、立体ギャザーシート５は、シート材５２がバックシート２側に配置された状態で、一対の立体ギャザーシート細幅部５３がトップシート３の両側部上に平行に配置され、第３サイドフラップ部５４の各側部（立体ギャザーシート細幅部５３と連なる側とは反対側の側部）が、各第１サイドフラップ部２１の各側部（第１サイドフラップ部２１における幅方向Ｙの両端部）にそれぞれ接合され、立体ギャザーシート細幅部５３の幅方向Ｙにおいて互いに離反する側（第３サイドフラップ部５４側）の各側部が、トップシート３の各側部（幅方向Ｙ両端部）にそれぞれ接合される。立体ギャザーシート５と、バックシート２の接合は、シート材５２とバックシート２のシート材２３側の表面とが接合することによって行われる。また、接合は、ホットメルト接着剤による接着によって行われる。
【００４３】
このように一対のサイドフラップ部１１は、第１サイドフラップ部２１、第２サイドフラップ部４１、および第３サイドフラップ部５４からなり、より詳細には第１サイドフラップ部２１と第３サイドフラップ部５４との間に、第２サイドフラップ部４１が介在されてなる。また、シート材５２は、サイドフラップ部１１で、バックシート２と接合される。
【００４４】
使い捨ておむつ１は、一対の立体ギャザーシート５が通気性および透液性を有するシート材５１と、通気性および不透液性を有するシート材５２とが接合された多層シート材から成り、シート材５２がバックシート２側に向けて配置されるので、使い捨ておむつ１を使用者が身体に装着したとき、シート材５１が肌に接触する。
【００４５】
このように各立体ギャザーシート５は、装着時に身体に接触する側が、不織布からなるシート材５１であるので、使用者が使い捨ておむつ１を装着した状態では、使用者に良好な肌触り感を与えることができる。
【００４６】
またシート材５２は、不透液性であるので、立体ギャザーシート５に体圧などの圧力が加わった場合であっても、排尿などの液状排泄物を透過しない。したがって、吸収体４に吸収された液状排泄物が、吸収体４から漏れ出し、トップシート３を透過しても、立体ギャザーシート５のシート材５２を透過することはない。
【００４７】
このように、吸収体４に吸収された液状排泄物は、トップシート３は透過するが、各立体ギャザーシート５のシート材５２は透過しないので、シート材５２によって外部へ漏洩することが防がれる。このことから、夜間などの長時間の装着によって多量の液状排泄物を吸収体４が吸収した状態で、その吸収体４に就寝中の使用者の寝返りによって臀部などで押圧されて圧力が加わり、吸収体４に吸収された液状排泄物が吸収体４から押し出され、トップシート３を透過しても、各立体ギャザーシート５によって、使い捨ておむつ１の幅方向両端部からの横漏れが阻止される。したがって、吸収体４から液状排泄物が漏れ出すことに起因して、使用者の肌や布団などが汚損されることを防ぐことができる。
【００４８】
また、ポリエチレン製のシート材５２と、バックシート２のシート材２３側の表面とが接合することによって、立体ギャザーシート５とバックシート２の接合がされるので、従来の使い捨ておむつよりも強固に接合することができる。これは、樹脂製の表面同士が接合されるので、従来の使い捨ておむつのように一方の接合面が不織布となる場合と比較して、繊維による空間がなくなるためである。
【００４９】
また、シート材５２によって、従来の使い捨ておむつよりも使い捨ておむつの厚みを厚くすることができるので、製造時にカッターによる型抜きを行い易い。したがって、従来の使い捨ておむつと比較して生産効率を高めることができる。
【符号の説明】
【００５０】
１  使い捨ておむつ
２  バックシート
３  トップシート
４  吸収体
５  立体ギャザーシート
１１  サイドフラップ部
２０  バックシート細幅部
２１  第１サイドフラップ部
２２，２３，５１，５２  シート材
４０  吸収体細幅部
４１  第２サイドフラップ部
５３  立体ギャザーシート細幅部
５４  第３サイドフラップ部
５５  折り返し部
５６  弾性糸
【図１】
2013220193.tif 000003
【図２】
2013220193.tif 000004
【図３】
2013220193.tif 000005